(57)【要約】【課題】プロジェクタを用いて著しいアピール効果を発揮することができるショーケースを提供する。【解決手段】ショーケースＳは、本体１内に構成された陳列室３の前面開口を、透視可能な扉４により開閉自在に閉塞して成るものであって、扉４を構成するガラス板７と、ガラス板７に設けられたスクリーンシート４２と、陳列室３内に設けられ、スクリーンシート４２に映像を投影するプロジェクタ４１とを備えている。プロジェクタ４１は陳列室３内に着脱可能に取り付けられると共に、スクリーンシート４２は、ガラス板７に貼付される。【選択図】図４
2012032613.tif 000002
【特許請求の範囲】
【請求項１】
本体内に構成された陳列室の前面開口を、透視可能な扉により開閉自在に閉塞して成るショーケースにおいて、
前記扉を構成するガラス板と、
該ガラス板に設けられたスクリーンシートと、
前記陳列室内に設けられ、前記スクリーンシートに映像を投影するプロジェクタとを備えたことを特徴とするショーケース。
【請求項２】
本体内に構成された陳列室の前面開口を、透視可能な扉により開閉自在に閉塞して成るショーケースにおいて、
前記扉に交換可能に取り付けられ、当該扉を構成するガラス板を覆う透視可能なガラス装飾部を有する扉装飾カバーと、
前記ガラス装飾部に設けられたスクリーンシートと、
前記陳列室内に設けられ、前記スクリーンシートに映像を投影するプロジェクタとを備えたことを特徴とするショーケース。
【請求項３】
前記プロジェクタは前記陳列室内に着脱可能に取り付けられると共に、
前記スクリーンシートは、前記ガラス板又はガラス装飾部に貼付されることを特徴とする請求項１又は請求項２に記載のショーケース。
【請求項４】
前記陳列室内に複数段架設された商品陳列用の棚を備え、
前記プロジェクタは前記棚の下側、若しくは、前記陳列室の天井に位置して前記各棚、及び、前記断熱箱体に取付可能とされていることを特徴とする請求項３に記載のショーケース。
【請求項５】
前記スクリーンシートは半透明であることを特徴とする請求項１乃至請求項４のうちの何れかに記載のショーケース。
【発明の詳細な説明】
【技術分野】
【０００１】
本発明は、陳列室の前面開口を透視可能な扉にて開閉自在に閉塞して成るショーケースに関するものである。
【背景技術】
【０００２】
従来よりこの種ショーケースは、本体内に構成した陳列室内に飲料や食品等の商品を収納して陳列し、陳列室内は冷凍装置により所定温度に冷却すると共に、陳列室の前面開口は透視可能なガラス扉にて開閉自在に閉塞している。
【０００３】
また、商品の販売効果を向上させるために、この種ショーケースには天面上にプロジェクタとスクリーンを取り付け、プロジェクタからスクリーンに陳列室内に陳列された商品の広告（プロモーション）や店舗の情報に関する映像（静止画や動画）を投影していた（例えば、特許文献１参照）。
【先行技術文献】
【特許文献】
【０００４】
【特許文献１】特開２００１−２４５７５６号公報
【発明の概要】
【発明が解決しようとする課題】
【０００５】
しかしながら、上記従来公報の如くショーケースの天面上にスクリーンやプロジェクタを設ける場合には、店舗の天井とショーケースの天面との間に大きな設置スペースが無ければこれらの機器を設置することができない。また、陳列室内に陳列された商品から比較的離れた場所に映像が投影されることになるので、特定の商品について特に販売促進したい場合等にはアピール効果に限界があるという問題もあった。
【０００６】
本発明は、係る従来の技術的課題を解決するために成されたものであり、プロジェクタを用いて著しいアピール効果を発揮することができるショーケースを提供するものである。
【課題を解決するための手段】
【０００７】
上記課題を解決するために、請求項１に発明のショーケースは、本体内に構成された陳列室の前面開口を、透視可能な扉により開閉自在に閉塞して成るものであって、扉を構成するガラス板と、ガラス板に設けられたスクリーンシートと、陳列室内に設けられ、スクリーンシートに映像を投影するプロジェクタとを備えたことを特徴とする。
【０００８】
請求項２の発明のショーケースは、本体内に構成された陳列室の前面開口を、透視可能な扉により開閉自在に閉塞して成るものであって、扉に交換可能に取り付けられ、当該扉を構成するガラス板を覆う透視可能なガラス装飾部を有する扉装飾カバーと、ガラス装飾部に設けられたスクリーンシートと、陳列室内に設けられ、スクリーンシートに映像を投影するプロジェクタとを備えたことを特徴とする。
【０００９】
請求項３の発明のショーケースは、上記各発明においてプロジェクタは陳列室内に着脱可能に取り付けられると共に、スクリーンシートは、ガラス板又はガラス装飾部に貼付されることを特徴とする。
【００１０】
請求項４の発明のショーケースは、上記発明において陳列室内に複数段架設された商品陳列用の棚を備え、プロジェクタは棚の下側、若しくは、陳列室の天井に位置して各棚、及び、断熱箱体に取付可能とされていることを特徴とする。
【００１１】
請求項５の発明のショーケースは、上記各発明においてスクリーンシートは半透明であることを特徴とする。
【発明の効果】
【００１２】
請求項１の発明は、本体内に構成された陳列室の前面開口を、透視可能な扉により開閉自在に閉塞して成るショーケースにおいて、扉を構成するガラス板と、ガラス板に設けられたスクリーンシートと、陳列室内に設けられ、スクリーンシートに映像を投影するプロジェクタとを備えているので、店舗に据え付けられたショーケースの天面上方にプロジェクタやスクリーンの設置スペースが無い場合にも、陳列室内に設けたプロジェクタから扉のガラス板に設けたスクリーンシートに支障無く映像を投影することができるようになり、ショーケースの据え付け場所の自由度が増す。
【００１３】
また、陳列室内に陳列された商品の近傍にて映像を投影することができるので、プロモーションに注力している商品のアピール効果を著しく向上させることができるようになる。更に、扉等に液晶ディスプレイその他の広告装置を取り付ける場合に必要な広告装置のための扉と本体間の配線を廃止することができるようになり、扉の組み付け作業性を改善し、また、断線故障の発生も防止することが可能となる。
【００１４】
請求項２の発明は、本体内に構成された陳列室の前面開口を、透視可能な扉により開閉自在に閉塞して成るショーケースにおいて、扉に交換可能に取り付けられ、当該扉を構成するガラス板を覆う透視可能なガラス装飾部を有する扉装飾カバーと、ガラス装飾部に設けられたスクリーンシートと、陳列室内に設けられ、スクリーンシートに映像を投影するプロジェクタとを備えているので、扉装飾カバーを交換することで既存のショーケースの外観を極めて容易に変更することができるようになることに加え、上述同様に店舗に据え付けられたショーケースの天面上方にプロジェクタやスクリーンの設置スペースが無い場合にも、陳列室内に設けたプロジェクタから扉装飾カバーのガラス装飾部に設けたスクリーンシートにガラス板を通して支障無く映像を投影することができるようになり、ショーケースの据え付け場所の自由度が増す。
【００１５】
また、同様に陳列室内に陳列された商品の近傍にて映像を投影することができるので、プロモーションに注力している商品のアピール効果を著しく向上させることができるようになる。更に、扉や扉装飾カバーに液晶ディスプレイその他の広告装置を取り付ける場合に必要な広告装置のための扉と本体間の配線を廃止することができるようになり、扉の組み付け作業性を改善し、また、断線故障の発生も防止することが可能となる。
【００１６】
また、請求項３の発明の如くプロジェクタを陳列室内に着脱可能に取り付けると共に、スクリーンシートを、ガラス板又はガラス装飾部に貼付するようにすれば、アピールしたい商品の陳列位置に応じて、プロジェクタやスクリーンシートを移動し、映像の投影位置を自由に変更することができるようになる。また、プロジェクタとスクリーンシート間の距離も自由に変更することができるので、映像の投影サイズも容易に変更できるようになり、利便性が著しく向上する。
【００１７】
特に、請求項４の発明の如く、陳列室内に複数段架設された商品陳列用の棚の下側、若しくは、陳列室の天井に位置してプロジェクタを各棚、及び、断熱箱体に取付可能とすることにより、商品とその上の棚或いは天井との間のデッドスペースを利用してプロジェクタを取り付けることができるようになり、スペース効率が改善されると共に、プロジェクタにより商品が見えなくなる不都合も低減することができるようになる。
【００１８】
更に、請求項５の発明の如くスクリーンシートとして半透明なものを使用すれば、プロジェクタによる映像の投影を行っていないとき等に、スクリーンシートによって商品が見えなくなる不都合も低減することができるようになるものである。
【図面の簡単な説明】
【００１９】
【図１】本発明を適用した一実施例のショーケースの斜視図である。
【図２】図１の状態から各装飾カバーを取り外した状態のショーケースの斜視図である。
【図３】図１のショーケースの分解斜視図である。
【図４】図１のショーケースの縦断側面図である。
【図５】本発明を適用したもう一つの実施例のショーケースの縦断側面図である。
【図６】図５のショーケースの平断面図である。
【発明を実施するための形態】
【００２０】
以下、本発明の実施の形態について、図面を参照しながら詳細に説明する。
【実施例１】
【００２１】
実施例のショーケースＳは、飲料や食品等の商品を冷却しながら陳列販売するための所謂低温ショーケースであり、本体１を構成する縦長矩形状の断熱箱体２内に前面が開口した陳列室３が構成されている。この陳列室３の開口は、例えば向かって右側（一側）上下を回動自在に本体１に枢支された扉４により開閉自在に閉塞されている。
【００２２】
この扉４は周囲の金属製扉枠（サッシュ）６と、この扉枠６の内方に嵌め込まれた複層透明ガラス板７とから成り、このガラス板７を通して外部より陳列室３内部が透視可能とされている。また、扉４の向かって左側（非枢支側）の扉枠６には、扉４を開閉するための把手５が設けられている。
【００２３】
断熱箱体２の下側（陳列室３の外側）である本体１の下部には機械室８が構成されており、この機械室８内に冷却装置Ｒの冷媒回路を構成する図示しない圧縮機や凝縮器９、図示しない凝縮器用送風機等が設置されている。尚、機械室８は前面が開口している。
【００２４】
一方、陳列室３内には商品陳列用の棚１１が複数段架設されている。また、断熱箱体２内の背面及び底面には、間隔を存して仕切板１２及び１３が設けられており、各仕切板１２及び１３と断熱箱体２との間に、相互に連通した背面ダクト１４及び底面ダクト１６が構成され、陳列室３はこれら仕切板１２及び１３の内側に構成されたかたちとされている。
【００２５】
また、背面の仕切板１２の上端と断熱箱体２間は背面ダクト１４に連通した冷気吹出口１７、底面の仕切板１３の前端と断熱箱体２間は底面ダクト１６に連通した冷気吸込口１８とされている。断熱箱体２の底壁には相互に前後に位置する連通孔１９、２１が貫通形成されており、連通孔１９と２１間において仕切板１３から垂下する隔壁１３Ａにより、底面ダクト１６は前後に仕切られている。
【００２６】
更に、断熱箱体２の底壁には、連通孔１９、２１に対応して断熱性の冷却箱２２が外側から取り付けられ、機械室８内に位置している。この冷却箱２２内には冷却装置Ｒの冷媒回路を構成する冷却器２３と冷気循環用送風機２４が収納されており、冷却器２３によって冷却箱２２内は連通孔１９側と連通孔２１側とに区画されている。これにより、陳列室３−冷気吸込口１８−底面ダクト１６−連通孔１９−冷気循環用送風機２４（冷却箱２２内）−冷却器２３（冷却箱２２内）−連通孔２１−底面ダクト１６−背面ダクト１４−冷気吹出口１７−陳列室３と渡る一連の冷気通路が構成されている。
【００２７】
そして、実施例では本体１の左右側面及び天面、機械室８の前面及び扉４の外面に、何れも硬質合成樹脂から成る側面装飾カバー２６、２７、天面装飾カバー２８、機械室装飾カバー２９及び扉装飾カバー３１がそれぞれ取り付けられている。この場合、側面装飾カバー２６、２７は本体１の左右側面を覆うように本体１に交換可能（ネジ止め）に取り付けられ、天面装飾カバー２８は本体１の天面を覆うように本体１に交換可能（ネジ止め）に取り付けられている。また、機械室装飾カバー２８は機械室８の前面開口を開閉可能に閉じるように本体１に着脱自在（交換可能）に取り付けられており、これら装飾カバー２６〜２８は本体１の一部を構成する。
【００２８】
この場合、機械室装飾カバー２９には開口２９Ａが形成され、この開口２９Ａに対応して機械室装飾カバー２９には、ルーバ３２とメッシュ部３３とを一体に備えたフィルタ３５が着脱可能に取り付けられている。尚、図３の３４は凝縮器９の前側に対応した開口を有するグリル板であり、前記凝縮器用送風機の運転により開口２９Ａからフィルタ３５を経て吸引された外気を、効率的良く凝縮器９に通風させる機能を奏する。
【００２９】
また、扉装飾カバー３１は扉４の外面を覆うように扉枠６に交換可能（ネジ止め）に取り付けられている。この場合、扉装飾カバー３１は扉枠６を前方から間隔を存して隠蔽する透視不能な枠装飾部３１Ａと、その内方でガラス板７の前方に間隔を存して位置する透視可能なガラス装飾部３１Ｂとから成る。
【００３０】
そして、ガラス装飾部３１Ｂの平断面は、中央が前方に突出して両端部が後退した湾曲形状とされ、前方から陳列室３内を見た場合に商品陳列がより立体的に見えるように配慮されている。このようにショーケースＳの本体１及び扉４に各装飾カバー２６〜２９、３１を交換可能に取り付けているので、据え付け場所や使用目的、陳列商品に応じてそれらを交換することで、既存のショーケースＳの意匠を容易に変更することができるようになり、販売効果の著しい改善を図ることができるようになる。尚、実施例では扉装飾カバー３１の枠装飾部３１Ａが扉４よりも上方に延在し、その上側の左右辺が天面装飾カバー２８の前側に位置している。
【００３１】
また、本発明では陳列室３内の棚１１の下側、若しくは、陳列室３の天井に、プロジェクタ（小型液晶プロジェクタ）４１が位置して各棚１１、及び、断熱箱体２に着脱可能に取り付けられている。また、プロジェクタ４１の斜め前下方に対応する箇所のガラス板７の陳列室３側の面（内面。但し、ガラス装飾部３１Ｂ側の面（外面）でも良い）には、図１、図２及び図４に示す如く半透明なスクリーンシート４２が貼り付け、且つ、引きはがし可能に貼付されている。そして、プロジェクタ４１から照射された映像は、スクリーンシート４２に投影されてガラス板７を通し（外面に貼付した場合にはガラス板７を通して投影される）、前方より視認できるよう構成されている。
【００３２】
また、プロジェクタ４１は各棚１１、及び、断熱箱体２に位置変更可能に取り付けられ、スクリーンシート４２もガラス板７に貼付されているので、プロジェクタ４１及びスクリーンシート４２の取付位置を変更し、移動させることで、プロジェクタ４１による映像の投写位置をガラス板７の自由な位置に変更することが可能とされている（図５参照）。また、プロジェクタ４１を前後方向に移動させることで、プロジェクタ４１とスクリーンシート４２との間の距離も自由に変更し、映像の大きさも自由に変更できるように構成されている。
【００３３】
以上の構成で、冷却装置Ｒ及び各送風機が運転されると、冷却器２３と熱交換した冷気は冷気循環用送風機２４により連通孔２１から底面ダクト１６に入り、背面ダクト１４を上昇して冷気吹出口１７から陳列室３内に吹き出される。この陳列室３内を循環して各棚１１上の商品を冷却した冷気は、冷気吸込口１８から吸い込まれ、底面ダクト１６を経て連通孔１９から再び冷気循環用送風機２４に吸い込まれる。これにより、陳列室３内に陳列された商品は所定の温度に冷却される。
【００３４】
また、前記凝縮器用送風機も運転され、機械室装飾カバー２９の開口２９Ａからは外気が吸引される。吸引された外気はフィルタ３５のメッシュ部３３にて塵埃を除去され、且つ、ルーバ３２にて風向が決められた後、凝縮器９及び機械室８内の圧縮機等に通風されてそれらを空冷する。
【００３５】
一方、プロジェクタ４１からはその斜め前下方のスクリーンシート４２に映像が投影される。この場合、プロジェクタ４１とスクリーンシート４２の位置は、プロモーションしたい商品の近傍とする。投影された映像はガラス板７及びガラス装飾部３１Ｂ（ガラス板７の外面に貼付した場合にはガラス装飾部３１Ｂ）を通して前方から視認することができるので、顧客に対して当該商品を強烈にアピールすることになる。
【００３６】
このように、扉４のガラス板７にスクリーンシート４２を設け、陳列室３内には、当該スクリーンシート４２に映像を投影するプロジェクタ４１を設けたことにより、店舗に据え付けられたショーケースの天面上方にプロジェクタやスクリーンの設置スペースが無い場合にも、陳列室３内に設けたプロジェクタ４１から扉４のガラス板７に設けたスクリーンシート４２に支障無く映像を投影することができるようになり、ショーケースＳの据え付け場所の自由度が増す。
【００３７】
また、陳列室３内に陳列された商品の近傍にて映像を投影することができるので、プロモーションに注力している商品のアピール効果を著しく向上させることができるようになる。更に、扉４や実施例の扉装飾カバー３１に液晶ディスプレイその他の広告装置を取り付ける場合に必要な広告装置のための扉４と本体１間の配線を廃止することができるようになり、扉４の組み付け作業性を改善し、また、断線故障の発生も防止することが可能となる。
【００３８】
また、プロジェクタ４１を陳列室３内に着脱可能に取り付けると共に、スクリーンシート４２を、ガラス板７に貼付しているので、アピールしたい商品の陳列位置に応じて、プロジェクタ４１やスクリーンシート４２を移動し、映像の投影位置を自由に変更することができるようになる。また、プロジェクタ４１とスクリーンシート４２間の距離も自由に変更することができるので、映像の投影サイズも容易に変更できるようになり、利便性が著しく向上する。
【００３９】
特に、陳列室３内に架設された棚１１の下側、若しくは、陳列室３の天井に位置してプロジェクタ４１を各棚１１、及び、断熱箱体２に取付可能としているので、商品とその上の棚１１或いは天井との間のデッドスペースを利用してプロジェクタ４１を取り付けることができるようになり、スペース効率が改善されると共に、プロジェクタ４１により商品が見えなくなる不都合も低減することができるようになる。
【００４０】
更に、スクリーンシート４２は半透明なものを使用しているので、プロジェクタ４１による映像の投影を行っていないとき等に、スクリーンシート４２によって商品が見えなくなる不都合も低減することができるようになる。
【００４１】
また、実施例では扉装飾カバー３１を扉４に交換可能に取り付けているので、扉装飾カバー３１を交換することで既存のショーケースＳの外観を極めて容易に変更することができるようになる。
【００４２】
尚、上記実施例では装飾カバーを本体１や扉４に取り付けたが、係る装飾カバーを用いない場合にも請求項１の発明は有効である。
【実施例２】
【００４３】
また、上記実施例ではスクリーンシート４２を扉４のガラス板７の陳列室３側の面に貼付するようにしたが、それに限らず、図３に示す如く扉装飾カバー３１のガラス装飾部３１Ｂのガラス板７側の面（内面。尚、外面でも良い。）にスクリーンシート４２を貼付するようにしてもよい。この場合にも、プロジェクタ４１からはガラス板７（外面に貼付する場合には、ガラス板７とガラス装飾部３１Ｂ自体）を通してスクリーンシート４２に映像を投影することができると共に、投影された映像はガラス装飾部３１Ｂを通して（外面に貼付する場合にはそのまま）前方から視認することができる。
【００４４】
尚、図３の如く前記実施例と同じ比較的小さいサイズで映像を投影させる場合には、プロジェクタ４１は図４の場合よりも後方に移動させる必要がある。即ち、この実施例のようにガラス装飾部３１Ｂにスクリーンシート４２を貼付した場合には、図５や図６に示すようにプロジェクタ４１の棚１１に対する前後方向の位置が図４と同一の場合（図５ではプロジェクタ４１は下方の棚１１に取り付けられている）、ガラス装飾部３１Ｂがガラス板７よりも前方に位置しているため、プロジェクタ４１とスクリーンシート４２間の距離は大きくなり、映像の投影サイズも拡大されることになるからである。
【００４５】
従って、より大きく映像を投影したい場合には、前記実施例のようにガラス板７に貼付するのでは無く、この実施例のようにガラス装飾部３１Ｂに貼付するとよい。特に、ガラス装飾部３１Ｂは前述した如く湾曲しているので、映像はガラス板７の場合よりも更に近い位置で立体的に投影されることになり、顧客に与えるインパクトも強くなる。
【００４６】
更に、上記各実施例ではガラス板７やガラス装飾部３１Ｂに部分的にスクリーンシート４２を貼付したが、スクリーンシート４２が半透明であれば、それらの略全面に貼付してもよい。その場合には、プロジェクタ４１を移動させるだけで、ガラス板７やガラス装飾部３１Ｂの任意の位置で映像を投影することができるようになるものである。
【００４７】
尚、その他プロジェクタ４１及びスクリーンシート４２の取り付け構造に関しては実施例１の場合と同様であり、同様の効果を奏する。
【符号の説明】
【００４８】
Ｓ  ショーケース
Ｒ  冷却装置
１  本体
２  断熱箱体
３  陳列室
４  扉
７  ガラス板
１１  棚
３１  扉装飾カバー
３１Ｂ  ガラス装飾部
４１  プロジェクタ
４２  スクリーンシート
【図１】
2012032613.tif 000003
【図２】
2012032613.tif 000004
【図３】
2012032613.tif 000005
【図４】
2012032613.tif 000006
【図５】
2012032613.tif 000007
【図６】
2012032613.tif 000008